(57)【要約】【課題】商品数を一度に多数運搬することが可能であり、収納時にも嵩張らず、耐久性、互換性も良好な情報記録媒体陳列用ケースを提供する。【解決手段】透明合成樹脂製可視面構成片１と合成樹脂製ケース本体片２を側面縁３ａ〜ｂで溶着したケースに直方体状上げ底部材６が、その底部に別部材として着脱自在であり、ケースは２枚の厚み片９ａ〜ｂに複数個設けられた係着片１１ａ〜ｃをスリット１２ａ〜ｃに挿入して形成されるとともに、準平板状に展開可能である。係着片１１ａ〜ｃとスリット１２ａ〜ｃについては、係着片のスリットへの挿入方向が異なったものとしている。【選択図】図１
2005187061.tif 000002
【特許請求の範囲】
【請求項１】
ビデオテープ、ＤＶＤ、書籍などの情報記録媒体を収納し、上方に開口部を有するとともに上げ底部を陳列用ケース底域に配し、展開を閉じてケースを構成させる展開部固定手段を備えた展開可能な陳列用ケースであって、該陳列用ケースが２枚の薄片状可撓性合成樹脂素材片、すなわち可視面構成片をケース本体片に添着してなるとともに、ケースが立在可能な程度の硬度を有し、外側面である前記可視面構成片が透明ないし有色透明或いは半透明素材からなり、該可視面構成片と前記ケース本体片との間の部分がジャケット挿納間隙を構成する情報記録媒体の陳列用ケースにおいて、前記上げ底部が、硬質素材からなる直方体状上げ底部材より構成されたことを特徴とする情報記録媒体陳列用ケース。
【請求項２】
ビデオテープ、ＤＶＤ、書籍などの情報記録媒体を収納し、上方に開口部を有するとともに上げ底部を陳列用ケース底域に配し、展開を閉じてケースを構成させる展開部固定手段を備えた展開可能な陳列用ケースであって、該陳列用ケースが２枚の薄片状可撓性合成樹脂素材片、すなわち可視面構成片をケース本体片に添着してなるとともに、ケースが立在可能な程度の硬度を有し、外側面である前記可視面構成片が透明ないし有色透明或いは半透明素材からなり、該可視面構成片と前記ケース本体片との間の部分がジャケット挿納間隙を構成する情報記録媒体の陳列用ケースにおいて、ケースの展開を閉じるケース厚み部分が、２枚の厚み片により構成され、該両厚み片が相互に着脱自在であって、展開部固定手段が、一方の厚み片に穿設されたスリットと、他方の厚み片に構成された係着片とにより構成されたことを特徴とする情報記録媒体陳列用ケース。
【請求項３】
ケース本体片を構成し、４面存在する表紙片の内側面のうち、少なくとも１面に直方体状上げ底部材が着脱自在であることを特徴とする請求項１記載の情報記録媒体陳列用ケース。
【請求項４】
陳列用ケースが立置される棚板に、直方体状上げ底部材が固着ないし着脱自在に固着されたことを特徴とする請求項１または３記載の情報記録媒体陳列用ケース。
【請求項５】
可視面構成片とケース本体片とが、側面縁以外に溶着部を有せずに張り合わせてなるとともに、背表紙部分の底部にジャケット固定片が形成されたことを特徴とする請求項１または２記載の情報記録媒体陳列用ケース。
【請求項６】
スリットおよびこれに対応する係着片とが、複数位置に設けられ、それらのうち、少なくとも１つの係着片のスリットへの挿入方向が、他の係着片のスリットへの挿入方向と違えて構成されたことを特徴とする請求項２記載の情報記録媒体陳列用ケース。
【請求項７】
直方体状上げ底部材にジャケット挿説間隙への挿入片を設け、該挿入片を挿脱自在に嵌着する嵌着孔が、ケース本体の内側を構成する４面のうち、少なくとも１面に設けられたことを特徴とする請求項３または４記載の情報記録媒体陳列用ケース。
【請求項８】
係着片のスリットへの挿入方向が、その少なくとも１つがケース立置面に垂直方向であり、別の少なくとも１つがケース立置面に平行方向であることを特徴とする請求項６記載の情報記録媒体陳列用ケース。
【発明の詳細な説明】
【技術分野】
【０００１】
本発明は、情報記録媒体陳列用ケースに関するものである。
【０００２】
情報記録媒体陳列用ケースには、ビデオカセット、ＤＶＤ、書籍などの情報記録媒体を貸し出し用に陳列用する陳列用ケースが数多く出回っている。特にケースを立置してその上面を開口部とし、ケース底域に上げ底機構を配し、ケース上面より情報記録媒体を一部露出させる構成のものが一般的である。本発明は、このような情報記録媒体陳列用ケースに関するものである。
【背景技術】
【０００３】
本発明の背景技術となるものは、特開平５−２５４５８６である。この技術は、ビデオテープの陳列用方法及び陳列用ケースに関するものであり、上位概念的に云えば、情報記録媒体を開口部より突出させるべき上げ底部を陳列用ケース底域に備え、展開を閉じてケースを構成させる展開部固定手段を備えた展開可能な陳列用ケースであって、該陳列用ケースが２枚の薄片状可撓性合成樹脂素材、すなわち可視面構成片をケース本体片に添着してなるとともに、ケースが立在可能な程度の硬度を有し、外側面である前記可視面構成片が透明素材ないしは有色透明素材或いは半透明素材からなり、該可視面構成片と前記ケース本体片がジャケット挿納間隙を構成するものである。
【０００４】
また上記構成を有し、主に漫画本等書籍の貸出、あるいは理髪店の待合い場所に揃置されるための陳列用ケースであって、全て透明薄片合成樹脂素材より構成されたものも出回り始めている。
【特許文献１】特開平５−２５４５８６号公報
【発明の開示】
【発明が解決しようとする課題】
【０００５】
上記背景技術にあっては、その殆ど全てが箱形形状を維持するものであるといってよい。展開可能なものであっても、展開は内部の清掃、或いは異物の除去を目的とする物に限られ、取引上、運搬上は、背景技術陳列用ケース１００の箱詰め状態を示す図６に示されるように、箱形形状を維持したままである。このような箱形維持形状の商品は、内部が空洞であり、重量は小さいものであるにもかかわらず、大きな体積をとるため、重量の割に嵩張り、まとめて多数運搬することができない。また収納する際にも大きな収納スペースを必要とし、また多数回反復して出し入れをするものであるため、商品に難が生じやすく、そのような場合、商品１つを全て交換しなければならない、という課題があった。
【０００６】
本発明はこのような課題にかんがみ、商品数を一度に多数運搬することが可能であり、収納時にも嵩張らず、耐久性、互換性も良好な情報記録媒体陳列用ケースを提供することを目的とする。
【課題を解決するための手段】
【０００７】
本発明は、陳列用棚に立置されるのを常とするような、ビデオテープ、ＤＶＤ、書籍などの情報記録媒体を収納し、上方に開口部を有するとともに上げ底部を陳列用ケース底域に配し、展開を閉じてケースを構成させる展開部固定手段を備えた展開可能な陳列用ケースであって、該陳列用ケースが２枚の薄片状可撓性合成樹脂素材片、すなわち可視面構成片をケース本体片に添着してなるとともに、ケースが立在可能な程度の硬度を有し、外側面である前記可視面構成片が透明ないし有色透明或いは半透明素材からなり、該可視面構成片と前記ケース本体片との間の部分がジャケット挿納間隙を構成する情報記録媒体の陳列用ケースにおいて、前記上げ底部が、硬質素材からなる直方体状上げ底部材より構成されたを最も主要な特徴の一とし、また前記と同様の構成において、ケースの展開を閉じるケース厚み部分が、２枚の厚み片該両厚み片が相互に着脱自在であって、展開部固定手段が、一方の厚み片に穿設されたスリットと、他方の厚み片に構成された係着片とにより構成されたことを最も主要な特徴の二とする。
【０００８】
前項記載の主要課題解決手段のうち、前者の構成のもとに、本発明は、より具体的、理想的な課題解決手段として、ケース本体片を構成し、４面存在する表紙片の内側面のうち、少なくとも１面に直方体状上げ底部材が着脱自在である構成、陳列用ケースが立置される棚板に、直方体状上げ底部材が固着ないし着脱自在に固着された構成をそれぞれとりうるものであり、これらの構成のもとに本発明は、さらなる課題解決手段として、直方体状上げ底部材にジャケット挿説間隙への挿入片を設け、該挿入片を挿脱自在に嵌着する嵌着孔が、ケース本体の内側を構成する４面のうち、少なくとも１面に設けられた構成をとりうる。
【０００９】
また本発明は、前項に記載された両主要課題解決手段の構成のもとに、可視面構成片とケース本体片とが、側面縁以外に溶着部を有せずに張り合わせてなるとともに、背表紙部分の底部にジャケット固定片が形成された構成をとりうるものであり、前項記載の両主要課題解決手段のうち、後者の構成のもとに、スリットおよびこれに対応する係着片とが、複数位置に設けられ、それらのうち、少なくとも１つの係着片のスリットへの挿入方向が、他の係着片のスリットへの挿入方向と違えた構成をとりうる。
【００１０】
本発明の最も主要な特徴である課題解決手段のうち、後者の構成のもとにとりうる前項記載の課題解決手段のもとに、本発明は、スリットおよびこれに対応する係着片とが、複数位置に設けられ、それらのうち、少なくとも１つの係着片のスリットへの挿入方向が、他の係着片のスリットへの挿入方向と違えて構成されうるものであり、その最も典型的な構成として、本発明は、係着片のスリットへの挿入方向が、その少なくとも１つがケース立置面に垂直方向であり、別の少なくとも１つがケース立置面に平行方向である構成をとりうるものである。
【発明の効果】
【００１１】
本発明において、情報記録媒体は、直方体状、ないしは直方体状のケースに収納されるものであればよい。上述の課題解決手段により、直方体状上げ底部材のケース本体片底部の内部への配設により、直方体状情報記録媒体、あるいは情報記録媒体の入った直方体状ケースの上部は、ケースよりその上部が露出する。情報記録媒体使用者は、この露出部を手で把持して出し入れする。この使用方法は、背景技術と本発明と変わるところはない。
【００１２】
しかしながら、本発明に係る情報記録媒体陳列用ケースは、直方体状上げ底部材が硬質素材からなるため、耐久性は極めて良好であり、反復使用によりこの硬質素材製の直方体状上げ底部材に破損などが生じても、これがケースに４面存在する表紙片の少なくとも一面に着脱自在であれば、この直方体状上げ底部材のみを交換すればよく、互換性も良好である。逆に可視面構成片およびケース本体片が摩耗、破損すれば、直方体状上げ底部材をそのまま継続使用し、可視面構成片およびケース本体片の方を取り替えればよい。
【００１３】
ケースの展開を閉じるケース厚み部分が、２枚の厚み片該両厚み片が相互に着脱自在であって、展開部固定手段が、一方の厚み片に穿設されたスリットと、他方の厚み片に構成された係着片とにより構成されていれば、背表紙の対面を平面に構成することが可能であり、スリットより係着片を脱挿してケースを展開した場合、ジャケット挿納間隙形成され、溶着線間の幅は可視面構成片とケース本体片とはほぼ同じであり、収納用途とされる直方体状情報記録媒体ないし直方体状情報記録媒体収納ケースの厚みに応じて折り曲げ線がケース本体片に形成されるため、完全な平板片状とはならないまでも、殆ど平らな平板片状、即ち準平板状となる。
【００１４】
その結果、本発明に係る情報記録媒体陳列用ケースは、何層にもわたって積載が可能となり、一回の箱詰め運搬で運搬できる商品数量が、従前とは比較にならないほど多くなる。箱詰め運搬は、ケースを展開して準平板状とした場合、縦詰めにしても横詰めにしてもよい。また直方体状上げ底部材も、ケース形成時の陳列用ケースに比べ、格段に小さい直方体状であるため、これも運搬の便によい。
【００１５】
直方体状上げ底部材は、ジャケット挿納間隙への挿入片を介し、ケース本体の内側を構成する４面のうち、少なくとも１面に設けられた嵌着孔に装着してもよいが、予め棚板に固着ないしは着脱自在に固着されるものであってもよい。着脱自在であれば、互換性は良好である。例えばスチール製の棚板など、感磁性素材からなる場合、垂立支持フレーム板が、棚板より独立した部材である構成によれば、陳列用棚、或いは棚板とともに使用する必要はなくなり、例えば垂立支持フレーム板を机上に載置してラックのように使用したり、机上に限らず水平面状の場所であれば、どこでも陳列用のための装置として機能しうる。
【００１６】
直方体状上げ底部材を棚板に着脱自在とした場合、例えばスチール製の棚板など、感磁性素材からなるものにあっては、直方体状上げ底部材底面にマグネットを装設しておけば、ケース立置の位置決定は自在となる。これは、ＤＶＤ、書籍など、耐磁性情報記録媒体の場合に有効である。ビデオカセットなど非耐磁性情報記録媒体の場合は、例えばマジックテープを棚板に貼着し、直方体状上げ底部材の底面に他方のマジックテープを貼着して着脱自在とする方法が想定される。
【００１７】
ケース厚み面、即ちケース形成時に背表紙対面を構成する厚み片の一方に設けられるスリット及び他方厚み片に設けられる係着片は、通常想定されるものは、上下２箇所であり、係着片のスリット挿入方向を違えれば、ケース形成時の形態維持は良好となる。言い換えれば、通常想定されるケース上下端域に２箇所設けたものでは、係着片のスリット挿入方向を立置面に平行にして上下とするものであり、横方向の衝動に対し相当にケース形態維持が実現されるが、これに例えば、厚み面中間部に、係着片のスリットへの挿入方向が立地面に垂直方向とするものを加えれば、縦方向の衝動にも強いケースが形成される。但しこれらは単なる典型例であって、スリット及びこれに対応する係着片の形成箇所は、ケース形成時に煩瑣感のない範囲で他に数カ所設けられてもよい。また係着片のスリットへの挿入方向は、立置面に垂直ないし平行のみならず、斜め方向であってもよい。
【００１８】
可視面構成片とケース本体片とが、側面縁以外に溶着部を有せずに張り合わせてなるとともに、背表紙部分の底部にジャケット固定片が形成されていれば、従前のものにみられるような、ケース底縁において可視面構成片とケース本体片を溶着したものに比べて、ケース底縁限界までのジャケット挿入が容易であり、ジャケット挿入後は、可視面構成片とケース本体片が、ジャケットに圧接してこれを挟持するとともに、ジャケット固定片により、ジャケット挿納間隙からのジャケットの滑脱が抑止される。
【発明を実施するための最良の形態】
【００１９】
以下本発明情報記録媒体陳列用ケースの最良の実施形態を図面を参照しつつ詳述する。
【００２０】
図１は、本発明情報記録媒体陳列用ケースの最良実施形態の分解斜視全体図である。図１に示されるように、本実施形態は、可視面構成片１、ケース本体片２を側面縁３ａ、３ｂで溶着してなるものであって、可視面構成片１とケース本体片２との間には、ジャケット挿納間隙４が介在する。可視面構成片１はやや軟質の透明合成樹脂素材、ケース本体片２は可視面構成片１よりやや厚め、やや硬質の合成樹脂素材より構成され、ケース本体片２には、収納する情報記録媒体ないし情報記録媒体を収納するケースＣの厚みに応じて、折り曲げ線２ａ、２ｂが付されている。これら２本の折り曲げ線２ａ、２ｂの間は、背表紙面５を構成する。
【００２１】
ケース形成時に内側面となるケース本体片２の一表紙面底域には、図１に示されるように、直方体状上げ底部材６に形成される挿入片７ａ、７ｂが挿嵌される嵌着孔８ａ、８ｂが穿設され、この嵌着孔７ａ、７ｂを介し、直方体状上げ底部材６は、ケース本体片２に着脱自在である。
【００２２】
ケース本体片２の両側域は、２箇所の第１厚み片９ａ、第２厚み片９ｂを構成し、これら第１厚み片９ａ、第２厚み片９ｂは、薄板状合成樹脂素材より構成される。ケース形成時にこれらは背表紙面５の対面、即ち厚み面１０を構成し、その際に外側面となる第１厚み片９ａには３箇所の係着片、即ち上方より下方にかけ、第１係着片１１ａ、第２係着片１１ｂ、第３係着片１１ｃが形成される。第１係着片１１ａ、第２係着片１１ｂはケース立置面に下向き垂直方向に形成され、第３係着片１１ｃはケース立置面に横向き平行方向に形成される。
【００２３】
これら第１係着片１１ａ、第２係着片１１ｂ、第３係着片１１ｃの第２厚み片９ｂにおける対応位置に、第１スリット１２ａ、第２スリット１２ｂ、第３スリット１２ｃが穿設される。これら第１スリット１２ａ、第２スリット１２ｂ、第３スリット１２ｃのうち、第１スリット１２ａ、第２スリット１２ｂはケース立置面に平行に、第３スリット１２ｃはケース立置面に垂直に穿設される。また背表紙面５には、その底縁に、ジャケット固定片１３が、ジャケット挿納間隙４に向け突設される。
【００２４】
但しこれら第１係着片１１ａ、第２係着片１１ｂ、第３係着片１１ｃの第２厚み片９ｂ、並びにこれらの対応位置に穿設される、第１スリット１２ａ、第２スリット１２ｂ、第３スリット１２ｃの実施例については、必ずしも立置面に平行、垂直方向のものに限られる必要はなく、例えば図示は略されているが、厚み面１０に、立置面に４５度程度の角度を付して、斜め方向に前記３箇所に１箇所を加えた程度設けられるものであってもよいし、係着片１１ａ、１１ｂ、１１ｃのスリットスリット１２ａ、スリット１２ｂ、スリット１２ｃへの係着を良好とするために、係着片１１ａ、１１ｂ、１１ｃの形状を類矢印状として係止部分を設け、他方スリットスリット１２ａ、スリット１２ｂ、スリット１２ｃについても、矢印状係止部分を良好に係止する係止小孔がスリット両端に設けられてもよい。
【００２５】
以上のような構成により、図１に示されるように、直方体状上げ底部材６の挿入片７ａ、７ｂを嵌着孔８ａ、８ｂに挿嵌し、ケース本体片２に装着したのち、ケース形成手順図を示す図２（ａ）（ｂ）に示されるように、折り曲げ線２ａ、２ｂでケース本体片２を折り曲げ、第１係着片１１ａ、第２係着片１１ｂ、第３係着片１１ｃを、それぞれ対応する第１スリット１２ａ、第２スリット１２ｂ、第３スリット１２ｃに挿入する。このようにして、第１厚み片９ａ、第２厚み片９ｂは接合され、図２（ｂ）に示されるように、情報記録媒体陳列用のケース１４が形成される。第１スリット１２ａ、第２スリット１２ｂの形成は、横方向の衝動に強く、第３スリット１２ｃの形成は、縦方向の衝動に強い。従ってケースの形状維持は良好である。
【００２６】
例えば図示は略されているが、４５度程度の角度を付して、係着片１１ａ、１１ｂ、１１ｃのスリットスリット１２ａ、スリット１２ｂ、スリット１２ｃへの係着を良好とするために、係着片１１ａ、１１ｂ、１１ｃの形状を類矢印状として係止部分を設け、他方スリットスリット１２ａ、スリット１２ｂ、スリット１２ｃ両端に係止小孔がスリット両端に設けられもの、あるいは立置面に垂直、平行方向のものとこれらとを混在させてもよく、その場合には、縦横斜めの各方向の衝動に強いケースが形成され、また係着状体も良好に保全されるため、ケース状態の形成維持は強固となる。
【００２７】
ジャケット挿納間隙４にジャケットを挿納する場合は、ジャケット挿納時を示すケース本体展開図である図３に示されるように、ジャケット１５を、ジャケット固定片１３が形成されていない方よりジャケット間隙空間４に挿入し、ジャケット固定片１３に挟持させる。ジャケット１５は印刷された長方形紙片である場合が殆どである。これをその中心が背表紙面５に当在するようにして挿入する。しかる後に図２（ｂ）に示されるようなケースに形成した場合、可視面構成片１とケース本体片２が、ジャケット１５に圧接してこれを挟持するとともに、ジャケット固定片１３により、ジャケット挿納間隙４からのジャケット１５の滑脱が抑止される。
【００２８】
このようにして、ケース底域に直方体状上げ底部材６が装着されたケース１４は、その使用状態を示す図４に示されるように、棚板上に揃置して使用する。直方体状上げ底部材６の装着により直方体状情報記録媒体ないし直方体状情報記録媒体収納ケースＣの上域が、ケース１４の開口部よりケース外に露出する。この使用状態は、従前のものと同様であるが、反復使用によりケース１４或いは直方体状上げ底部材６に破損、摩耗等難が生じた場合には、これらを別々に交換することが可能である。
【００２９】
しかしながら、本実施形態は、図３に示されるように、ケース１４が準平板状に展開できるものであるため、その積載状態を示す図５に示されるように、何層にもわたって収納できる形状であるため、一回の箱詰め運搬で運搬できる商品数量が、従前とは比較にならないほど多くなる。箱詰め運搬は、縦詰めにしても横詰めにしてもよい。またこれらとは別に直方体状上げ底部材６を揃積して箱詰め運搬出来るため、両者とも、運搬並びに収納の便が良く、嵩張らないため、大きなスペースも必要としない。また嵌着孔８ａ、８ｂが同位置に形成されており、そこに棒材を垂通させれば、運搬時のずれも生じない。
【００３０】
なお本実施形態における直方体状上げ底部材６は、単なる合成樹脂製のものであり、図４に示されるように、ブックエンドＢが必要となるが、想定される実施例として、例えばスチール製の棚板など、棚板が感磁性素材からなるものにあっては、直方体状上げ底部材底面にマグネットを装設しておくなどすれば、ケース立置の固定位置決定は自在となる。これは、ＤＶＤ、書籍など、耐磁性情報記録媒体の場合に有効である。ビデオカセットなど非耐磁性情報記録媒体の場合は、一実施例として、マジックテープを棚板に貼着し、直方体状上げ底部材の底面に他方のマジックテープを貼着して着脱自在とするものが考えられる。
【００３１】
以上詳述された本発明実施形態から、本発明情報記録媒体陳列用ケースによれば、商品数を一度に多数運搬することが可能であり、収納時にも嵩張らず、耐久性、互換性も良好な情報記録媒体陳列用ケースが提供される。  
【産業上の利用可能性】
【００３２】
本発明は、情報記録媒体陳列用ケースであり、主に貸出用に供されるものではあるが、それに留まらず、例えば理容店、交通機関或いは医療機関などの待合い場所に常備されることの多いコミック書籍など、特定のものを読んではまた元に戻す場合の揃置陳列用のケースとして、頗る有用である。一般にこのような場所では、情報記録媒体の購入量の増大に応じ陳列用ケースを買い足していくのが常であるが、新品の買い置きケースを常備するの収納場所に困ることが多く、本発明は、その課題を格段に解消するものであり、産業上の利用可能性は大きい。
【図面の簡単な説明】
【００３３】
【図１】本発明情報記録媒体陳列用ケースの最良実施形態の分解斜視全体図である。
【図２】同ケース形成手順図である。
【図３】同ジャケット挿納時を示すケース本体展開図である。
【図４】同使用状態を示す図である。
【図５】積載状態を示す図である。
【図６】背景技術陳列用ケースの箱詰め状態を示す図である。
【符号の説明】
【００３４】
１              可視面構成片
２              ケース本体片
２ａ〜ｂ        折り曲げ線
３ａ〜ｂ        側面縁
４              ジャケット挿納間隙
５              背表紙面
６              直方体状上げ底部材
７ａ〜ｂ        挿入片
８ａ〜ｂ        嵌着孔
９ａ            第１厚み片
９ｂ            第２厚み片
１０            厚み面
１１ａ          第１係着片
１１ｂ          第２係着片
１１ｃ          第３係着片
１２ａ          第１スリット
１２ｂ          第２スリット
１２ｃ          第３スリット
１３            ジャケット固定片
１４            ケース
１５            ジャケット
Ｂ              ブックエンド
Ｃ              情報記録媒体ないし情報記録媒体を収納するケース
【図１】
2005187061.tif 000003
【図２】
2005187061.tif 000004
【図３】
2005187061.tif 000005
【図４】
2005187061.tif 000006
【図５】
2005187061.tif 000007
【図６】
2005187061.tif 000008